【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
移動通信システムにおける端末（ＵＥ）によって行われる方法であって、
基地局（ＮＢ）から、少なくとも一つのスケジューリング要求（ＳＲ：ｓｃｈｅｄｕｌｉｎｇ  ｒｅｑｕｅｓｔ）設定に関する第１情報と、前記少なくとも一つのＳＲ設定のうちのロジカルチャネルがマッピングされるＳＲ設定を示す第２情報と、前記ロジカルチャネルにマッピングされるサブキャリア間隔に関する第３情報とを含む無線リソース制御（ＲＲＣ：ｒａｄｉｏ  ｒｅｓｏｕｒｃｅ  ｃｏｎｔｒｏｌ）メッセージを受信する段階と、
前記第２情報によって識別された前記ＳＲ設定に基づいて前記ロジカルチャネルに関するＳＲを生成する段階と、
前記基地局に、前記ロジカルチャネルに関するＳＲを送信する段階と、を有することを特徴とする方法。
【請求項２】
前記ＲＲＣメッセージは、前記ＳＲ設定のために使われるアップリンクリソースに関する第４情報を更に含み、
前記ＳＲは、物理アップリンク制御チャネル（ＰＵＣＣＨ：ｐｈｙｓｉｃａｌ  ｕｐｌｉｎｋ  ｃｏｎｔｒｏｌ  ｃｈａｎｎｅｌ）上の前記アップリンクリソースを用いて送信されることを特徴とする請求項１に記載の方法。
【請求項３】
前記第４情報は、前記アップリンクリソースの周期及びオフセットに関する情報を更に含むことを特徴とする請求項２に記載の方法。
【請求項４】
前記方法は、前記基地局から、前記ロジカルチャネルのアップリンクデータを送信するためのアップリンクリソースを割り当てるアップリンクグラントを受信する段階を更に含み、
前記アップリンクグラントは、前記アップリンクデータを送信するための前記アップリンクリソースに関する時間リソース、周波数リソース、空間リソース、及びＴＴＩ（ｔｒａｎｓｍｉｓｓｉｏｎ  ｔｉｍｅ  ｉｎｔｅｒｖａｌ）リソースのうちの少なくとも一つを割り当て、
前記アップリンクデータは、前記第３情報によって識別された前記サブキャリア間隔に基づいて前記アップリンクの次元上で送信されることを特徴とする請求項１に記載の方法。
【請求項５】
前記ＲＲＣメッセージに基づいて前記ＳＲの送信を禁止（ｐｒｏｈｉｂｉｔ）するためのタイマーが設定され、
前記タイマーは、前記ＳＲの送信に基づいて始まることを特徴とする請求項１に記載の方法。
【請求項６】
移動通信システムにおける基地局（ＮＢ）によって行われる方法であって、
端末（ＵＥ）に、少なくとも一つのスケジューリング要求（ＳＲ：ｓｃｈｅｄｕｌｉｎｇ  ｒｅｑｕｅｓｔ）設定に関する第１情報と、前記少なくとも一つのＳＲ設定のうちのロジカルチャネルがマッピングされるＳＲ設定を示す第２情報と、前記ロジカルチャネルにマッピングされるサブキャリア間隔に関する第３情報とを含む無線リソース制御（ＲＲＣ：ｒａｄｉｏ  ｒｅｓｏｕｒｃｅ  ｃｏｎｔｒｏｌ）メッセージを送信する段階と、
前記端末から、前記第２情報によって識別された前記ＳＲ設定に基づいて前記ロジカルチャネルに関するＳＲを受信する段階と、を有することを特徴とする方法。
【請求項７】
前記ＲＲＣメッセージは、前記ＳＲ設定のために使われるアップリンクリソースに関する第４情報を更に含み、
前記ＳＲは、物理アップリンク制御チャネル（ＰＵＣＣＨ：ｐｈｙｓｉｃａｌ  ｕｐｌｉｎｋ  ｃｏｎｔｒｏｌ  ｃｈａｎｎｅｌ）上の前記アップリンクリソースを用いて受信されることを特徴とする請求項６に記載の方法。
【請求項８】
前記第４情報は、前記アップリンクリソースの周期及びオフセットに関する情報を更に含むことを特徴とする請求項７に記載の方法。
【請求項９】
前記方法は、前記端末に、前記ロジカルチャネルのアップリンクデータを受信するためのアップリンクリソースを割り当てるアップリンクグラントを送信する段階を更に含み、
前記アップリンクグラントは、前記アップリンクデータを受信するための前記アップリンクリソースに関する時間リソース、周波数リソース、空間リソース、及びＴＴＩ（ｔｒａｎｓｍｉｓｓｉｏｎ  ｔｉｍｅ  ｉｎｔｅｒｖａｌ）リソースのうちの少なくとも一つを割り当て、
前記アップリンクデータは、前記第３情報によって識別された前記サブキャリア間隔に基づいて前記アップリンクの次元上で受信されることを特徴とする請求項６に記載の方法。
【請求項１０】
前記ＲＲＣメッセージに基づいて前記ＳＲの送信を禁止（ｐｒｏｈｉｂｉｔ）するためのタイマーが設定され、
前記タイマーは、前記ＳＲの送信に基づいて始まることを特徴とする請求項６に記載の方法。
【請求項１１】
移動通信システムの端末（ＮＥ）であって、
信号を送信及び受信するように設定された送受信部と、
前記送受信部に連結された制御部と、を備え、
前記制御部は、
基地局から、少なくとも一つのスケジューリング要求（ＳＲ：ｓｃｈｅｄｕｌｉｎｇ  ｒｅｑｕｅｓｔ）設定に関する第１情報と、前記少なくとも一つのＳＲ設定のうちのロジカルチャネルがマッピングされるＳＲ設定を示す第２情報と、前記ロジカルチャネルにマッピングされるサブキャリア間隔に関する第３情報とを含む無線リソース制御（ＲＲＣ：ｒａｄｉｏ  ｒｅｓｏｕｒｃｅ  ｃｏｎｔｒｏｌ）メッセージを受信し、
前記第２情報によって識別された前記ＳＲ設定に基づいて前記ロジカルチャネルに関する前記ＳＲを生成し、
前記基地局に、前記ロジカルチャネルに関する前記ＳＲを送信するように設定されることを特徴とする端末。
【請求項１２】
前記ＲＲＣメッセージは、前記ＳＲ設定のために使われるアップリンクリソースに関する第４情報を更に含み、
前記ＳＲは、物理アップリンク制御チャネル（ＰＵＣＣＨ：ｐｈｙｓｉｃａｌ  ｕｐｌｉｎｋ  ｃｏｎｔｒｏｌ  ｃｈａｎｎｅｌ）上の前記アップリンクリソースを用いて送信されることを特徴とする請求項１１に記載の端末。
【請求項１３】
前記第４情報は、前記アップリンクリソースの周期及びオフセットに関する情報を更に含むことを特徴とする請求項１２に記載の端末。
【請求項１４】
前記制御部は、前記基地局から、前記ロジカルチャネルのアップリンクデータを送信するためのアップリンクリソースを割り当てるアップリンクグラントを受信するように更に設定され、
前記アップリンクグラントは、前記アップリンクデータを送信するための前記アップリンクリソースに関する時間リソース、周波数リソース、空間リソース、及びＴＴＩ（ｔｒａｎｓｍｉｓｓｉｏｎ  ｔｉｍｅ  ｉｎｔｅｒｖａｌ）リソースのうちの少なくとも一つを割り当て、
前記アップリンクデータは、前記第３情報によって識別された前記サブキャリア間隔に基づいて前記アップリンクの次元上で送信されることを特徴とする請求項１１に記載の端末。
【請求項１５】
前記ＲＲＣメッセージに基づいて前記ＳＲの送信を禁止（ｐｒｏｈｉｂｉｔ）するためのタイマーが設定され、
前記タイマーは、前記ＳＲの送信に基づいて始まることを特徴とする請求項１１に記載の端末。
【請求項１６】
移動通信システムの基地局（ＮＢ）であって、
信号を送信及び受信するように設定された送受信部と、
前記送受信部に連結された制御部と、を備え、
前記制御部は、
端末（ＵＥ）に、少なくとも一つのスケジューリング要求（ＳＲ：ｓｃｈｅｄｕｌｉｎｇ  ｒｅｑｕｅｓｔ）設定に関する第１情報と、前記少なくとも一つのＳＲ設定のうちのロジカルチャネルがマッピングされるＳＲ設定を示す第２情報と、前記ロジカルチャネルにマッピングされるサブキャリア間隔に関する第３情報とを含む無線リソース制御（ＲＲＣ：ｒａｄｉｏ  ｒｅｓｏｕｒｃｅ  ｃｏｎｔｒｏｌ）メッセージを送信し、
前記端末から、前記第２情報によって識別された前記ＳＲ設定に基づいて前記ロジカルチャネルに関するＳＲを受信するように設定されることを特徴とする基地局。
【請求項１７】
前記ＲＲＣメッセージは、前記ＳＲ設定のために使われるアップリンクリソースに関する第４情報を更に含み、
前記ＳＲは、物理アップリンク制御チャネル（ＰＵＣＣＨ：ｐｈｙｓｉｃａｌ  ｕｐｌｉｎｋ  ｃｏｎｔｒｏｌ  ｃｈａｎｎｅｌ）上の前記アップリンクリソースを用いて受信されることを特徴とする請求項１６に記載の基地局。
【請求項１８】
前記第４情報は、前記アップリンクリソースの周期及びオフセットに関する情報を更に含むことを特徴とする請求項１７に記載の基地局。
【請求項１９】
前記制御部は、前記端末に、前記ロジカルチャネルのアップリンクデータを受信するためのアップリンクリソースを割り当てるアップリンクグラントを送信するように更に設定され、
前記アップリンクグラントは、前記アップリンクデータを受信するための前記アップリンクリソースに関する時間リソース、周波数リソース、空間リソース、及びＴＴＩ（ｔｒａｎｓｍｉｓｓｉｏｎ  ｔｉｍｅ  ｉｎｔｅｒｖａｌ）リソースのうちの少なくとも一つを割り当て、
前記アップリンクデータは、前記第３情報によって識別された前記サブキャリア間隔に基づいて前記アップリンクの次元上で受信されることを特徴とする請求項１６に記載の基地局。
【請求項２０】
前記ＲＲＣメッセージに基づいて前記ＳＲの送信を禁止（ｐｒｏｈｉｂｉｔ）するためのタイマーが設定され、
前記タイマーは、前記ＳＲの送信に基づいて始まることを特徴とする請求項１６に記載の基地局。